【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
第１の周波数よりも高いがトランジスタのカットオフ周波数よりも低い第２の周波数で発振なしに第１の周波数で動作するために複数のパワー・トランジスタ・ダイをパッケージングおよび相互接続する方法であって、
各ダイの下側（ドレイン）を基板上の導電層の第１の領域に電気的および熱的にボンディングして前記ダイを前記基板上に取り付ける工程と、
前記基板上の前記導電層の第２の領域に各ダイのソースを電気的に接続する工程と、
別々のリード線を介して前記基板上の前記導電層の第３の共通内部中央ランディング領域に各ダイのゲートを電気的に接続する工程とを備え、
前記リード線がほぼ同じ電気的長さに寸法決定され、前記第１の周波数をほぼ無減衰で通過する各ゲートへの共通領域からの前記電気的長さに対応する第１のインピーダンスを与え、前記第２の周波数をほぼ減衰させる第２のダイのゲートに１つのダイのゲートからの第２のインピーダンスを与える方法。
【請求項２】
前記複数のダイがアレイに配置されており、前記ソースに結合された前記第２の領域が前記アレイの外側に位置し、前記第３の領域が前記アレイの内部および中央および前記ダイの間にあるように前記基板が配置される請求項１に記載の方法。
【請求項３】
前記複数のダイが、前記第３の領域を第４の領域に接続する導電性の第１のジャンパ・ワイヤの組をさらに備えるアレイに配置されており、前記ソースに結合された前記第２の領域が第１および第２の側とは反対の前記アレイの外側に位置するように前記基板が配置されており、前記第３の領域が前記アレイ内のほぼ中央に位置し、前記第４の領域が前記アレイのほぼ外側にある請求項１に記載の方法。
【請求項４】
前記リード線の各々が前記第３の領域からそれぞれのダイのゲートに対応するゲート・パッドに延びる第１の部分を含み、前記第１の部分が１つまたは複数の被制御インピーダンス・フィルムを含み、第２の部分が前記第１の部分と直列に接続され、前記第２の部分が前記ゲート・パッドを含み、前記第２の領域が前記第３の部分と直列に接続され、前記第３の部分が前記それぞれのダイのゲートから延びる１つまたは複数の導電性のジャンパ・ワイヤを含む請求項１に記載の方法。
【請求項５】
ほぼ等しい抵抗、インダクタンスおよび容量を有する前記基板上のほぼ等しい画定されたインピーダンスの線を分割するように、前記リード線の少なくとも前記第１および第２の部分が導電層に一体的に形成され、導電性ジャンパが各ゲート・パッドをそれぞれのゲートに結合するほぼ等しい規定されたインピーダンスになるように構成されている請求項４に記載の方法。
【請求項６】
前記リード線の各々が、前記導電層に一体的に形成され、前記第３の領域と前記ダイの１つに対応する電気的に別個のゲート・パッドとの間に延びる第１の部分を含み、前記第１の部分が蛇行ストリップ線路の形態をとり、前記リード線の各々が各ゲート・パッドをそれぞれのゲートに結合するほぼ等しい規定されたインピーダンスになるように構成された第１の組の複数の導電性ジャンパを含む第２の部分を含む請求項１に記載の方法。
【請求項７】
前記複数のダイが、前記第３の領域を前記第４の領域に接続する導電性の第１のジャンパ・ワイヤの組をさらに備えるアレイに配置されており、前記ソースに結合された前記第２の部分が第１および第２の側とは反対のアレイの外側に位置するように前記基板が配置されており、前記第３の領域が前記アレイ内のほぼ中央に位置し、前記第４の領域がアレイのほぼ外側にある請求項６に記載の方法。
【請求項８】
前記アレイが矩形である請求項２、３または７に記載の方法。
【請求項９】
第１の周波数よりも高いがトランジスタのカットオフ周波数よりも低い第２の周波数で発振なしに第１の周波数で動作するために複数のパワー・トランジスタ・ダイをパッケージングおよび相互接続するパワー・モジュールであって、
第１の領域、第２の領域、および第３の共通内部中央ランディング領域を形成するようにパターン付けされた導電層を有する基板と、
各ダイの下側（ドレイン）が前記基板上の前記導電層の前記第１の領域に電気的および熱的にボンディングされている、前記基板上にある、複数のパワー・トランジスタが取り付けられた前記ダイと、
前記基板上の前記導電層の前記第２の領域に電気的に接続された各ダイのソースと、
別々のリード線を介して前記基板上の前記導電層の前記第３の共通内部中央ランディング領域に電気的に接続された各ダイのゲートとを備え、
前記リード線がほぼ同じ電気的長さに寸法決定され、前記第１の周波数をほぼ無減衰で通過する各ゲートへの共通領域からの前記電気的長さに対応する第１のインピーダンスを与え、前記第２の周波数をほぼ減衰させる第２のダイのゲートに１つのダイのゲートからの第２のインピーダンスを与えるパワー・モジュール。
【請求項１０】
前記複数のダイがアレイに配置されており、前記ソースに結合された前記第２の領域が前記アレイの外側に位置し、前記第３の領域が前記アレイの内部および中央および前記ダイの間にあるように前記基板が配置される請求項９に記載のパワー・モジュール。
【請求項１１】
前記複数のダイが、前記第３の領域を第４の領域に接続する導電性の第１のジャンパ・ワイヤの組をさらに備えるアレイに配置されており、前記ソースに結合された前記第２の領域が第１および第２の側とは反対の前記アレイの外側に位置するように前記基板が配置されており、前記第３の領域が前記アレイ内のほぼ中央に位置し、前記第４の領域が前記アレイのほぼ外側にある請求項９に記載のパワー・モジュール。
【請求項１２】
前記リード線の各々が前記第３の領域からそれぞれのダイのゲートに対応するゲート・パッドに延びる第１の部分を含み、前記第１の部分が１つまたは複数の被制御インピーダンス・フィルムを含み、第２の部分が前記第１の部分と直列に接続され、前記第２の部分が前記ゲート・パッドを含み、前記第２の領域が前記第３の部分と直列に接続され、前記第３の部分が前記それぞれのダイのゲートから延びる１つまたは複数の導電性のジャンパ・ワイヤを含む請求項９に記載のパワー・モジュール。
【請求項１３】
ほぼ等しい抵抗、インダクタンスおよび容量を有する前記基板上のほぼ等しい画定されたインピーダンスの線を分割するように、前記リード線の少なくとも前記第１および第２の部分が導電層に一体的に形成され、導電性ジャンパが各ゲート・パッドをそれぞれのゲートに結合するほぼ等しい規定されたインピーダンスになるように構成されている請求項１２に記載のパワー・モジュール。
【請求項１４】
前記リード線の各々が、前記導電層に一体的に形成され、前記第３の領域と前記ダイの１つに対応する電気的に別個のゲート・パッドとの間に延びる第１の部分を含み、前記第１の部分が蛇行ストリップ線路の形態をとり、前記リード線の各々が各ゲート・パッドをそれぞれのゲートに結合するほぼ等しい規定されたインピーダンスになるように構成された第１の組の複数の導電性ジャンパを含む第２の部分を含む請求項９に記載のパワー・モジュール。
【請求項１５】
前記複数のダイが、前記第３の領域を前記第４の領域に接続する導電性の第１のジャンパ・ワイヤの組をさらに備えるアレイに配置されており、前記ソースに結合された前記第２の部分が第１および第２の側とは反対のアレイの外側に位置するように前記基板が配置されており、前記第３の領域が前記アレイ内のほぼ中央に位置し、前記第４の領域がアレイのほぼ外側にある請求項１４に記載のパワー・モジュール。
【請求項１６】
前記アレイが矩形である請求項１０、１１または１５に記載のパワー・モジュール。
【手続補正２】
【補正対象書類名】図面
【補正対象項目名】図２ａ
【補正方法】変更
【補正の内容】
【図２ａ】
2006502560.tif 000001
【手続補正３】
【補正対象書類名】図面
【補正対象項目名】図３
【補正方法】変更
【補正の内容】
【図３】
2006502560.tif 000002
【手続補正４】
【補正対象書類名】図面
【補正対象項目名】図４
【補正方法】変更
【補正の内容】
【図４】
2006502560.tif 000003
【手続補正５】
【補正対象書類名】図面
【補正対象項目名】図６
【補正方法】変更
【補正の内容】
【図６】
2006502560.tif 000004